(57)【要約】【課題】頻繁に行われる表示画面の書き換えに伴う電力消費の増加を抑制しつつ、点灯時間を減少させて画素の劣化を防止することができるようにする。【解決手段】本発明に係る情報処理装置に適用可能な携帯電話機においては、有機ＥＬ素子からなるメインディスプレイは、画像データを再生する際に画像データに基づく画像を表示し、制御部は、リフレッシュ回数を計数し、リフレッシュ回数の計数を開始する開始時刻から計数されるリフレッシュ回数が予め設定された所定の回数行われたか否かを判定し、開始時刻から、リフレッシュ回数の計数を終了する終了時刻までの時間が、予め設定された所定の時間よりも短いか否かを判定し、開始時刻から終了時刻までの時間が予め設定された所定の時間よりも短いと判定された場合、画像データの再生時に、画像と画像との間ごとに、有機ＥＬ素子の発光を所定の時間停止する。【選択図】  図５
2009236966.tif 000002
【特許請求の範囲】
【請求項１】
少なくとも発光層を含む有機ＥＬ素子により構成され、外部から取得される画像データまたは予め記憶されている画像データを再生する際に、前記画像データに基づく画像を表示する表示手段と、
前記表示手段により前記画像データに基づく画像を表示する際のリフレッシュ回数を計数する計数手段と、
前記計数手段により計数される前記リフレッシュ回数が、前記計数手段により前記リフレッシュ回数の計数を開始する開始時刻から予め設定された所定の回数行われたか否かを判定する第１の判定手段と、
前記開始時刻から、前記計数手段により前記リフレッシュ回数の計数を終了する終了時刻までの時間が、予め設定された所定の時間よりも短いか否かを判定する第２の判定手段と、
前記第２の判定手段により前記開始時刻から前記終了時刻までの時間が、予め設定された所定の時間よりも短いと判定された場合、前記画像データの再生時に、画像と画像との間ごとに、前記有機ＥＬ素子への電力供給を所定の時間停止し、前記有機ＥＬ素子の発光を所定の時間停止する発光停止手段とを備えることを特徴とする情報処理装置。
【請求項２】
前記発光停止手段は、前記有機ＥＬ素子の発光の停止処理の開始後、前記第２の判定手段により前記開始時刻から前記終了時刻までの時間が、予め設定された所定の時間よりも長いと判定された場合、前記有機ＥＬ素子の発光の停止処理を終了することを特徴とする請求項１に記載の情報処理装置。
【請求項３】
少なくとも発光層を含む有機ＥＬ素子により構成され、外部から取得される画像データまたは予め記憶されている画像データを再生する際に、前記画像データに基づく画像を表示する表示手段と、
前記表示手段により前記画像データに基づく画像を表示する際のリフレッシュ回数を計数する計数手段と、
前記計数手段により計数される前記リフレッシュ回数が、前記計数手段による計数の際に用いられる基準時間ごとに、予め設定された所定の回数行われたか否かを判定する判定手段と、
前記判定手段により前記リフレッシュ回数が前記基準時間内に予め設定された所定の回数行われたと判定された場合、前記画像データの再生時に、画像と画像との間ごとに、前記有機ＥＬ素子への電力供給を所定の時間停止し、前記有機ＥＬ素子の発光を所定の時間停止する発光停止手段とを備えることを特徴とする情報処理装置。
【請求項４】
前記発光停止手段は、前記判定手段により前記リフレッシュ回数が前記基準時間内に予め設定された所定の回数行われていないと判定された場合、前記有機ＥＬ素子の発光の停止処理を終了することを特徴とする請求項３に記載の情報処理装置。
【請求項５】
少なくとも発光層を含む有機ＥＬ素子により構成され、外部から取得される動画像データまたは予め記憶されている動画像データを再生する際に、前記動画像データに基づく画像を表示する表示手段と、
前記表示手段で表示される動画像コンテンツのフレームレートが、予め設定された所定のレートよりも大きいか否かを判定する判定手段と、
前記判定手段によりフレームレートが予め設定された所定のレートよりも大きいと判定された場合、前記画像データの再生時に、画像と画像との間ごとに、前記有機ＥＬ素子への電力供給を所定の時間停止し、前記有機ＥＬ素子の発光を所定の時間停止する発光停止手段とを備えることを特徴とする情報処理装置。
【請求項６】
前記判定手段によりフレームレートが予め設定された所定のレート以下であると判定された場合、前記発光停止手段は、前記有機ＥＬ素子の発光の停止処理を行わないことを特徴とする請求項５に記載の情報処理装置。
【発明の詳細な説明】
【技術分野】
【０００１】
本発明は情報処理装置に係り、特に、ディスプレイとして有機ＥＬを用いた情報処理装置に関する。
【背景技術】
【０００２】
近年、情報処理装置としての携帯電話機には、単なる通話による通信機能だけでなく、アドレス帳機能、基地局やインターネットなどのネットワークを介したメール機能や、Ｗｅｂページなどを閲覧することが可能なブラウザ機能だけでなく、オーディオデータを聞くことができる音楽制御機能や、地上波ディジタルワンセグ放送波を受信することができる機能などが搭載されるようになってきている。また、地上波ディジタルワンセグ放送波に基づく受信画像やその他の手段により取得された種々の映像コンテンツを携帯電話機上にて再生することが可能となってきている。
【０００３】
それに伴い、ユーザの間では、映像コンテンツをよりきれいに再生したいというニーズが高まってきている。そこで、このニーズに答えるべく、最近の携帯電話機においては、今まで主流であったＴＦＴ（Thin Film Transistor）液晶ディスプレイの他に、有機ＥＬなどに代表される高輝度デバイスをディスプレイとして用いたものが提案されている。例えば有機ＥＬ（Electronic Luminescent）は、電圧をかけると発光する有機物質を利用して表示するディスプレイである。この有機ＥＬでは、例えばジアミン類などの有機物質をガラス面に蒸着させ、それ自体が発光する。
【０００４】
そのため、ディスプレイの厚みを従来よりも薄くすることが可能となる。また、有機ＥＬを用いたディスプレイの場合、有機物質が自発光するため、必要とされる輝度に応じて駆動電流（電圧）を増加させることで輝度を上げることができる一方、電流（電圧）を０にして完全な黒にすることができることから、液晶のスイッチＯＦＦ時に光漏れが生じてしまうために黒の度合いが弱まってしまう液晶ディスプレイと比べて、高コントラストな画像が得られる。さらに、有機ＥＬを用いたディスプレイの場合、有機ＥＬの応答特性は液晶に比べて遥かに高く、表示応答速度が高いことから、有機ＥＬを用いたディスプレイは動画像の再生に適していると言える。
【０００５】
これに対して、液晶ディスプレイは表示応答速度が遅いため、動画像などの動きの速い映像を表示使用とすると、前のフレームの残像が残ってしまい、表示される動画像がボケてしまうという欠点があった。そこで、最近では、この動画像のボケ対策として、表示フレームと表示フレームの間に黒フレームを挟むことにより残像を低減し、表示される動画像がボケてしまうことを抑制する技術が提案されている。
【０００６】
なお、液晶ディスプレイの表示に関連する技術として、次のような技術が知られている（例えば特許文献１参照）。特許文献１に提案されている技術によれば、バックライトは第１の量の光を出力する第１の状態と第２の量の光を出力する第２の状態とを有し、第１の状態の時間と第２の状態の時間とが制御される。これにより、簡単な構成にもかかわらず、鮮明な動画像を表示することができる。
【特許文献１】特開２００３−５０５６９号公報
【発明の開示】
【発明が解決しようとする課題】
【０００７】
有機ＥＬを用いたディスプレイの場合、液晶ディスプレイと異なり、表示応答速度が速いために、前のフレームの残像は残りにくく、動画像をきれいに表示することはできる。しかしながら、動画像の再生中に、画像メモリに保持された再生動画像信号に基づいて、表示画面の書き換え（リフレッシュ）が頻繁に行われると、それに伴って電流の消費が増大してしまい、電池の消耗が激しくなってしまうという課題があった。また、有機ＥＬを用いたディスプレイの場合、液晶ディスプレイなどと比べて、ディスプレイの点灯時間の累積によって画素が劣化しやすいことから、動画像の再生中に表示画面の書き換えが頻繁に行われると、それに伴って点灯時間が増加してしまい、画素がより劣化しやすくなってしまうという課題があった。
【０００８】
本発明は、このような状況に鑑みてなされたものであり、頻繁に行われる表示画面の書き換えに伴う電力消費の増加を抑制しつつ、ディスプレイの点灯時間を減少させて画素の劣化を防止することができる情報処理装置を提供することを目的とする。
【課題を解決するための手段】
【０００９】
本発明の情報処理装置は、上述した課題を解決するために、少なくとも発光層を含む有機ＥＬ素子により構成され、外部から取得される画像データまたは予め記憶されている画像データを再生する際に、画像データに基づく画像を表示する表示手段と、表示手段により画像データに基づく画像を表示する際のリフレッシュ回数を計数する計数手段と、計数手段により計数されるリフレッシュ回数が、計数手段によりリフレッシュ回数の計数を開始する開始時刻から予め設定された所定の回数行われたか否かを判定する第１の判定手段と、開始時刻から、計数手段によりリフレッシュ回数の計数を終了する終了時刻までの時間が、予め設定された所定の時間よりも短いか否かを判定する第２の判定手段と、第２の判定手段により開始時刻から終了時刻までの時間が、予め設定された所定の時間よりも短いと判定された場合、画像データの再生時に、画像と画像との間ごとに、有機ＥＬ素子への電力供給を所定の時間停止し、有機ＥＬ素子の発光を所定の時間停止する発光停止手段とを備えることを特徴とする。
【００１０】
本発明の情報処理装置は、上述した課題を解決するために、少なくとも発光層を含む有機ＥＬ素子により構成され、外部から取得される画像データまたは予め記憶されている画像データを再生する際に、画像データに基づく画像を表示する表示手段と、表示手段により画像データに基づく画像を表示する際のリフレッシュ回数を計数する計数手段と、計数手段により計数されるリフレッシュ回数が、計数手段による計数の際に用いられる基準時間ごとに、予め設定された所定の回数行われたか否かを判定する判定手段と、判定手段によりリフレッシュ回数が基準時間内に予め設定された所定の回数行われたと判定された場合、画像データの再生時に、画像と画像との間ごとに、有機ＥＬ素子への電力供給を所定の時間停止し、有機ＥＬ素子の発光を所定の時間停止する発光停止手段とを備えることを特徴とする。
【００１１】
本発明の情報処理装置は、上述した課題を解決するために、少なくとも発光層を含む有機ＥＬ素子により構成され、外部から取得される動画像データまたは予め記憶されている動画像データを再生する際に、動画像データに基づく画像を表示する表示手段と、表示手段で表示される動画像コンテンツのフレームレートが、予め設定された所定のレートよりも大きいか否かを判定する判定手段と、判定手段によりフレームレートが予め設定された所定のレートよりも大きいと判定された場合、画像データの再生時に、画像と画像との間ごとに、有機ＥＬ素子への電力供給を所定の時間停止し、有機ＥＬ素子の発光を所定の時間停止する発光停止手段とを備えることを特徴とする。
【発明の効果】
【００１２】
本発明によれば、頻繁に行われる表示画面の書き換えに伴う電力消費の増加を抑制しつつ、ディスプレイの点灯時間を減少させて画素の劣化を防止することができる。
【発明を実施するための最良の形態】
【００１３】
以下、本発明の実施の形態について、図面を参照しながら説明する。
【００１４】
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１５】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１６】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１７】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１８】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１９】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００２０】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２１】
なお、第１の筐体１２は、背面側に図示しないバッテリパックが挿着されており、終話・電源キーがオン状態になると、バッテリパックから各回路部に対して電力が供給されて動作可能な状態に起動する。
【００２２】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００２３】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイである。この有機ＥＬ（有機ＥＬ素子）は、有機薄膜層を両側から電極（陰極と陽極）で挟んだサンドイッチ構造を有しており、有機薄膜層は電子輸送層、発光層、および正孔輸送層からなる。発光層には、発光の量子効率が高い材料が用いられる。
【００２４】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２５】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。なお、サブディスプレイ２１も、メインディスプレイ１７と同様に、有機ＥＬにより構成されるディスプレイである。
【００２６】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２７】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２８】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２９】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００３０】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、表示駆動部５１に内蔵された図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、表示駆動部５１のビデオＲＡＭを介してメインディスプレイ１７に表示させることも可能である。
【００３１】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３２】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３３】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３４】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３５】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３６】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３７】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３８】
電源回路４４は、バッテリ４３の出力を基に所定の動作電源電圧Ｖｃｃを生成して各回路部に供給する。また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３９】
ところで、有機ＥＬを用いたディスプレイの場合、液晶ディスプレイと異なり、表示応答速度が速いために、前のフレームの残像は残りにくく、動画像をきれいに表示することはできる。しかしながら、動画像の再生中に、表示駆動部５１のビデオＲＡＭに保持された再生動画像信号に基づいて、表示画面の書き換え（リフレッシュ）が頻繁に行われると、それに伴って電流の消費が増大してしまい、電池の消耗が激しくなってしまう。また、有機ＥＬを用いたディスプレイの場合、液晶ディスプレイなどと比べて、ディスプレイの点灯時間の累積によって画素が劣化しやすいことから、動画像の再生中に表示画面の書き換えが頻繁に行われると、それに伴って点灯時間が増加してしまい、画素がより劣化しやすくなってしまう。
【００４０】
そこで、動画像の再生などによって例えばメインディスプレイ１７の表示画面の書き換え（リフレッシュ）が一定時間内に予め設定された所定の回数行われたか否かを検出し、表示画面の書き換えが一定時間内に予め設定された所定の回数行われた場合、表示フレームと表示フレームとの間に、ユーザが認識できない程度の短い時間、メインディスプレイ１７の有機ＥＬ素子への電流の供給を停止し、有機ＥＬ素子の発光を停止するようにする。これにより、頻繁に行われる表示画面の書き換えに伴う電力消費の増加を抑制しつつ、ディスプレイの点灯時間を減少させて画素の劣化を防止することが可能となる。以下、この方法を用いたリフレッシュ回数計数処理について説明する。
【００４１】
なお、本発明の実施形態においては、「リフレッシュ回数」とは、動画像の再生などによって例えばメインディスプレイ１７の表示画面の書き換え（リフレッシュ）が行われる回数を意味し、「リフレッシュレート（１／ｓ）」とは、一秒間に表示画面の書き換えが行われる回数を示す値を意味する。一般的に、メインディスプレイ１７に表示される画像コンテンツに応じて、１秒間に表示駆動部５１のビデオＲＡＭに描画される動画像信号（画像データ）の描画回数はそれぞれ予め定められており、リフレッシュ回数は、このビデオＲＡＭへの動画像信号の描画回数以上の値に設定される。例えばメニュ画面の表示においてはリフレッシュ回数は小さく、映画などの動画像データに基づく動画像の表示においてはリフレッシュ回数は大きい。
【００４２】
本発明の実施形態においては、リフレッシュ回数は、再生する画像コンテンツに関して定められた、ビデオＲＡＭへの動画像信号の描画回数に連動して変化するものとする。例えばある動画像コンテンツに関する、ビデオＲＡＭへの動画像信号の描画回数が「３０回」である場合、リフレッシュ回数は「３０回」となり、ビデオＲＡＭへの動画像信号の描画回数が「４０回」である場合、リフレッシュ回数は「４０回」となる。勿論、ビデオＲＡＭへの動画像信号の描画回数とリフレッシュ回数が完全に一致している必要はなく、リフレッシュ回数は、このビデオＲＡＭへの動画像信号の描画回数以上の値に設定されるとともに、ビデオＲＡＭへの動画像信号の描画回数に連動して変化しさえすればよい。
【００４３】
図４のフローチャートを参照して、図３の携帯電話機１におけるリフレッシュ回数計数処理について説明する。なお、このリフレッシュ回数計数処理は、ユーザにより携帯電話機１が閉じられた状態にされたり、あるいは、終話・電源キーが押下されることで携帯電話機１の電源が切られたりなどするまでの間、メインディスプレイ１７（サブディスプレイ２１などの他のディスプレイでもよい）への表示処理と並行して実行される。
【００４４】
ここで、例えば記憶部４２に予め記憶されている動画像データの再生時に実行されるメインディスプレイ１７への表示処理は、次のような処理である。すなわち、制御部４１は、動画像の再生に関するアプリケーションプログラムを実行し、ソフトウェアの処理として、記憶部４２に予め記憶されているオーディオデータと動画像データ（なお、オーディオデータと動画像データは予め多重化されている）とをメディアごとに分離するとともに、分離後の動画像データを所定の復号化方式にて復号し、復号後のディジタル動画像信号を生成する。
【００４５】
このとき、制御部４１は、分離後のオーディオデータを所定の復号化方式にて復号し、復号後のディジタルオーディオ信号を生成する。制御部４１は、復号処理により得られたディジタルオーディオ信号をＰＣＭコーデック３８に供給する。ＰＣＭコーデック３８は、制御部４１から出力されたディジタルオーディオ信号をＰＣＭ復号し、ＰＣＭ復号後のアナログオーディオデータ信号をスピーカ５０に出力する。このアナログオーディオ信号は、増幅された後、スピーカ５０により出力される。なお、予め所定の符号化方式にて圧縮符号化されているオーディオデータと動画像データのそれぞれの復号処理は、ハードウェアの処理として行うようにしてもよい。
【００４６】
そして、制御部４１は、生成されたディジタル動画像信号を表示駆動部５１のビデオＲＡＭに記憶（格納）させる。このビデオＲＡＭへのディジタル動画像信号の描画は、１秒間に、再生する画像コンテンツに関して定められた描画回数ずつ行われる。次に、表示駆動部５１は、有機ＥＬ素子からなるメインディスプレイ１７を駆動し、表示駆動部５１に内蔵されたビデオＲＡＭに記憶されているディジタル動画像信号に基づいて、メインディスプレイ１７に表示される表示画面の書き換えを、１秒間に、再生する画像コンテンツに関して定められた描画回数に連動して設定されたリフレッシュ回数ずつ行う。以上のような表示処理が繰り返し実行される。
【００４７】
なお、以下のリフレッシュ回数計数処理においては、記憶部４２に予め記憶されている動画像データの再生時に実行されるメインディスプレイ１７への表示処理を前提として説明するが、このような場合に限られず、例えば図示せぬ基地局を介して外部から取得された動画像データを再生する場合（このとき、外部から取得された動画像データは、圧縮伸張処理部３７にてメディアごとの分離後に復号される）や、地上波ディジタルワンセグ受信部４８にて図示せぬ放送局から受信された地上波ディジタルワンセグ放送波を再生する場合などにも本発明を適用することができる。
【００４８】
ステップＳ１において、制御部４１は、リフレッシュ回数（書き換え回数）Ｎを初期値に設定する。すなわち、制御部４１は、リフレッシュ回数Ｎ＝０に設定する。ステップＳ２において、制御部４１は、後述するリフレッシュ回数計数処理を実行するに際し、時計回路４７から、リフレッシュ回数の検出を開始する時刻であるリフレッシュ回数計数開始時刻を読み出し、読み出されたリフレッシュ回数計数開始時刻を記憶部４２（または制御部４１の図示せぬＲＡＭ）に記憶させる。例えば図５に示されるように、リフレッシュ回数計数処理を実行するに際し、まず、リフレッシュ回数計数開始時刻ｔ０が記憶部４２（または制御部４１の図示せぬＲＡＭ）に記憶される。なお、例えば図５の場合、時刻ｔ０においては、メインディスプレイ１７上の表示画面が画像（フレーム）Ｐ１に書き換えられて、画像Ｐ１がメインディスプレイ上にて表示されている。
【００４９】
ステップＳ３において、制御部４１は、動画像データの再生時に、メインディスプレイ１７に表示される表示画面の書き換えが行われたか否かを判定し、メインディスプレイ１７に表示される表示画面の書き換えが行われたと判定するまで待機する。例えば図５に示されるように、時刻ｔ０にてメインディスプレイ１７上の表示画面が画像（フレーム）Ｐ１に書き換えられた後、時刻ｔ０から時刻ｔａまでの間においては、メインディスプレイ１７に表示される表示画面の書き換えが行われていないことから、メインディスプレイ１７に表示される表示画面の書き換えが行われていないと判定される。一方、時刻ｔａになると、メインディスプレイ１７上の表示画面が画像Ｐ２に書き換えられることから、メインディスプレイ１７に表示される表示画面の書き換えが行われたと判定される。
【００５０】
ステップＳ３において制御部４１が、メインディスプレイ１７に表示される表示画面の書き換えが行われたと判定した場合、制御部４１はステップＳ４で、ユーザにより例えば携帯電話機１が閉じられた状態にされたり、あるいは、終話・電源キーが押下されることで携帯電話機１の電源が切られたりなどにより、メインディスプレイ１７での表示処理を終了するとの指示が受け付けられたか否かを判定する。ステップＳ４において制御部４１が、メインディスプレイ１７での表示処理を終了するとの指示が受け付けられたと判定した場合、リフレッシュ回数計数処理は終了される。
【００５１】
一方、ステップＳ４において制御部４１が、メインディスプレイ１７での表示処理を終了するとの指示が受け付けられたと判定した場合、制御部４１は、メインディスプレイ１７での表示処理を終了するとの指示が受け付けられずに、メインディスプレイ１７に表示される表示画面の書き換えが行われたことから、リフレッシュ回数Ｎを１だけインクリメントする（Ｎ＝Ｎ＋１とされる）。
【００５２】
例えば図５の場合、時刻ｔａになると、メインディスプレイ１７上の表示画面が画像Ｐ２に書き換えられることから、Ｎ＝０の初期値からＮ＝１にインクリメントされる。
【００５３】
ステップＳ６において、制御部４１は、ステップＳ５の処理にてインクリメントされた現在のリフレッシュ回数Ｎの値を用いて、メインディスプレイ１７に表示される表示画面の書き換えが予め設定された所定の回数行われたか否かを判定する。例えば所定の回数が予め３０回に設定されている場合、図５の時刻ｔａの時点においてリフレッシュ回数Ｎは１であることから、制御部４１は、メインディスプレイ１７に表示される表示画面の書き換えが予め設定された所定の回数行われていないと判定する。
【００５４】
ステップＳ６において制御部４１が、メインディスプレイ１７に表示される表示画面の書き換えが予め設定された所定の回数行われていないと判定した場合、処理はステップＳ３に戻り、ステップＳ３以降の処理が実行され、メインディスプレイ１７に表示される表示画面の書き換えが行われる度にリフレッシュ回数Ｎが１ずつインクリメントされる。
【００５５】
例えば図５の場合、時刻ｔ０から時刻ｔａまでの間により示される時間帯Ａにおいては、まず時刻ｔ０にてメインディスプレイ１７上の表示画面が画像Ｐ１に書き換えられた後、時刻ｔ０から時刻ｔａまでの間においては、メインディスプレイ１７に表示される表示画面の書き換えが行われず、次に時刻ｔａになると、メインディスプレイ１７上の表示画面が画像Ｐ２に書き換えられる。そして、時刻ｔａから時刻ｔｂまでの間では、図５に示されるように、例えば１秒間に１回の割合（１回／ｓ）で表示画面の書き換えが行われるリフレッシュレートにて、メインディスプレイ１７上の表示画面の書き換えが行われる。なお、図５の場合、時刻ｔａは時刻ｔ０の１秒後の時刻であるということとなるとともに、時刻ｔ０から時刻ｔｂまでの間においては、１×（ｔｂ−ｔ０）回の表示画面の書き換えが行われることとなる。
【００５６】
その後、時間帯Ｂにおける時刻ｔｂから時刻ｔｃまでの間では、図５に示されるように、例えば１秒間に３５回の割合（３５回／ｓ）で表示画面の書き換えが行われるリフレッシュレートにて、メインディスプレイ１７上の表示画面の書き換えが行われる。これにより、時間帯Ｂにおける時刻ｔｂから時刻ｔｃまでの間においては、３５×（ｔｃ−ｔｂ）回の表示画面の書き換えが行われることとなり、１回／ｓのリフレッシュレートである時間帯Ａと比較して表示画面の書き換えが頻繁に行われることとなる。
【００５７】
そして、ステップＳ３以降の処理が実行され、メインディスプレイ１７に表示される表示画面の書き換えが行われる度にリフレッシュ回数Ｎが１ずつインクリメントされ、リフレッシュ回数Ｎが予め設定された所定の回数（例えば３０回など）行われると、メインディスプレイ１７に表示される表示画面の書き換えが予め設定された所定の回数行われたと判定される。例えば図５の場合、リフレッシュ回数計数開始時刻からメインディスプレイ１７の表示画面の書き換え回数（リフレッシュ回数）を検出し始めて、時間帯Ｂにおける時刻ｔｂから時刻ｔｃまでの間の時刻ｔｍにて、リフレッシュ回数Ｎが予め設定された所定の回数（例えば３０回）行われるものとする。
【００５８】
ステップＳ６において制御部４１が、メインディスプレイ１７に表示される表示画面の書き換えが予め設定された所定の回数行われたと判定した場合、制御部４１はステップＳ７で、時計回路４７から、リフレッシュ回数の検出を終了する時刻であるリフレッシュ回数計数終了時刻を読み出し、読み出されたリフレッシュ回数計数終了時刻を記憶部４２（または制御部４１の図示せぬＲＡＭ）に記憶させる。例えば図５の場合、時間帯Ｂにおける時刻ｔｂから時刻ｔｃまでの間の時刻ｔｍにて、リフレッシュ回数Ｎが予め設定された所定の回数（例えば３０回）行われることから、リフレッシュ回数計数終了時刻ｔｍが記憶部４２（または制御部４１の図示せぬＲＡＭ）に記憶される。
【００５９】
ステップＳ８において、制御部４１は、記憶部４２（または制御部４１の図示せぬＲＡＭ）に記憶されているリフレッシュ回数計数開始時刻とリフレッシュ回数計数終了時刻に関するデータを読み出し、読み出されたリフレッシュ回数計数開始時刻とリフレッシュ回数計数終了時刻に関するデータに基づいて、リフレッシュ回数計数開始時刻からリフレッシュ回数計数終了時刻までの時間が、予め設定された所定の時間（例えば１秒間や２秒間など）よりも短いか否かを判定する。例えば図５の場合、リフレッシュ回数計数開始時刻は時刻ｔ０であり、とリフレッシュ回数計数終了時刻は時刻ｔｍであることから、これら２つの時刻の差分（ｔｍ−ｔ０）が予め設定された所定の時間（例えば１秒間や２秒間など）よりも短いか否かが判定される。ここで、これら２つの時刻の差分（ｔｍ−ｔ０）が予め設定された所定の時間（例えば１秒間や２秒間など）よりも長いものとする。
【００６０】
なお、ここで用いられる「予め設定された所定の時間」と、ステップＳ６においてリフレッシュ回数の判定処理に用いられる「所定の回数」との間には相関性が存在し、リフレッシュ回数の判定処理に用いられる所定の回数を大きくすると、「予め設定された所定の時間」も長くなる。本発明の実施形態においては例えば「予め設定された所定の時間」が１秒間で、かつ、「所定の回数」が３０回に設定されているが、これに以外にも、例えば「予め設定された所定の時間」が２秒間で、かつ、「所定の回数」が５０回に設定されるようにしてもよい。
【００６１】
ステップＳ８において制御部４１が、リフレッシュ回数計数開始時刻からリフレッシュ回数計数終了時刻までの時間が、予め設定された所定の時間（例えば１秒間や２秒間など）よりも長いと判定し場合、制御部４１はステップＳ９で、すでに有機ＥＬ素子の発光停止処理（ステップＳ１２での停止処理）が開始されているか否かを判定する。ステップＳ９において制御部４１は、依然として有機ＥＬ素子の発光停止処理（ステップＳ１２での停止処理）が開始されていないと判定した場合、ステップＳ１０の処理をスキップする。その後、処理はステップＳ１に進み、ステップＳ１以降の処理が繰り返し実行される。
【００６２】
具体的には、ステップＳ１においてリフレッシュ回数Ｎが初期値に設定され（Ｎ＝０）、ステップＳ２においてリフレッシュ回数計数開始時刻ｔｍが記憶されるとともに、ステップＳ３乃至Ｓ６の処理にてメインディスプレイ１７に表示される表示画面の書き換えごとにリフレッシュ回数Ｎがインクリメントされる。そして、例えば図５の場合、時刻ｔｍにてリフレッシュ回数Ｎが予め設定された所定の回数（例えば３０回）行われたと判定された後、時間帯Ｂ（リフレッシュレートが３５回／ｓの時間帯）における時刻ｔｂから時刻ｔｃまでの間の時刻ｔｎにて、リフレッシュ回数Ｎが予め設定された所定の回数（例えば３０回）さらに行われるものとする。これにより、制御部４１はステップＳ６で、時刻ｔｎにてリフレッシュ回数Ｎが予め設定された所定の回数（例えば３０回）さらに行われたと判定し、時計回路４７から、リフレッシュ回数の検出を終了する時刻であるリフレッシュ回数計数終了時刻を読み出し、読み出されたリフレッシュ回数計数終了時刻を記憶部４２（または制御部４１の図示せぬＲＡＭ）に記憶させる。この場合、リフレッシュ回数計数終了時刻ｔｎが記憶部４２（または制御部４１の図示せぬＲＡＭ）に記憶される。
【００６３】
このとき、リフレッシュ回数計数開始時刻は時刻ｔｍであり、とリフレッシュ回数計数終了時刻は時刻ｔｎであることから、これら２つの時刻の差分（ｔｎ−ｔｍ）が予め設定された所定の時間（例えば１秒間や２秒間など）よりも短いか否かが判定される。ここで、これら２つの時刻の差分（ｔｎ−ｔｍ）が予め設定された所定の時間（例えば１秒間や２秒間など）よりも短いものとする。これにより、ステップＳ８の処理によって制御部４１は、リフレッシュ回数計数開始時刻からリフレッシュ回数計数終了時刻までの時間が、予め設定された所定の時間（例えば１秒間や２秒間など）よりも短いと判定する。
【００６４】
次に、ステップＳ８において制御部４１が、リフレッシュ回数計数開始時刻からリフレッシュ回数計数終了時刻までの時間が、予め設定された所定の時間（例えば１秒間や２秒間など）よりも短いと判定した場合、制御部４１は、表示画面の書き換え（リフレッシュ）が頻繁に行われていると認識し、ステップＳ１１で、すでに有機ＥＬ素子の発光停止処理（ステップＳ１２での停止処理）が開始されているか否かを判定する。ステップＳ１１において制御部４１は、依然として有機ＥＬ素子の発光停止処理（ステップＳ１２での停止処理）が開始されていないと判定した場合、制御部４１はステップＳ１２で、画像（フレーム）と画像（フレーム）との間ごとに、メインディスプレイ１７を構成する有機ＥＬ素子への電源回路４４から電力供給を所定の時間停止し、有機ＥＬ素子の発光を所定の時間停止する処理を開始する。ここで、有機ＥＬ素子の発光が停止される所定の時間は、少なくとも、制御部４１によって次の画像に対応するディジタル動画像信号が表示駆動部５１のビデオＲＡＭに記憶（格納）されて、このビデオＲＡＭにディジタル動画像信号の描画が１回行われる時間以内（または以下）である。なお、この有機ＥＬ素子の発光が停止される所定の時間は、あまり長すぎると、ユーザが表示画面を見る際にちらつきなどが発生することから、ユーザが有機ＥＬ素子の発光の停止を認識できない程度の短時間であることが必要である。
【００６５】
具体的には、ステップＳ１２の発光停止処理によって、画像（フレーム）と画像（フレーム）との間ごとに有機ＥＬ素子の発光が停止されるようになる。すなわち、例えば図５の場合、時刻ｔｎにてメインディスプレイ１７上の表示画面が画像（フレーム）Ｐ５に書き換えられて表示された後、画像Ｐ５の斜線部分に示されるように、メインディスプレイ１７上にて画像Ｐ５の表示を形式的に維持したまま、所定の時間（少なくとも画像Ｐ５の次の画像に対応するディジタル動画像信号が表示駆動部５１のビデオＲＡＭに記憶（格納）されて、このビデオＲＡＭにディジタル動画像信号の描画が１回行われる時間以内）、メインディスプレイ１７を構成する有機ＥＬ素子への電源回路４４から電力供給が停止され、有機ＥＬ素子の発光が停止される。これにより、メインディスプレイ１７での点灯状態が、所定の時間だけ消灯状態となる。
【００６６】
その後、処理はステップＳ１に戻り、ステップＳ１以降の処理が繰り返し実行される。すなわち、ステップＳ１乃至Ｓ８までの処理が実行され、ステップＳ８にて制御部４１が、リフレッシュ回数計数開始時刻からリフレッシュ回数計数終了時刻までの時間が、予め設定された所定の時間（例えば１秒間や２秒間など）よりも短いと判定した場合、処理はステップＳ１１に進む。ステップＳ１１で、制御部４１は、すでに有機ＥＬ素子の発光停止処理（ステップＳ１２での停止処理）が開始されているか否かを判定し、このとき、すでに有機ＥＬ素子の発光停止処理（ステップＳ１２での停止処理）が開始されていると判定した場合、制御部４１はステップＳ１３で、画像（フレーム）と画像（フレーム）との間ごとに有機ＥＬ素子の発光の停止処理を継続する。例えば図５の場合、時間帯Ｃにおける時刻ｔｃから時刻ｔｄまでの間では、例えば１秒間に５０回の割合（５０回／ｓ）で表示画面の書き換えが行われるリフレッシュレートにて、メインディスプレイ１７上の表示画面の書き換えが行われる。これにより、時間帯Ｃにおける時刻ｔｃから時刻ｔｄまでの間においては、３５回／ｓのリフレッシュレートである時間帯Ｂと比較して表示画面の書き換えがより頻繁に行われることとなる。そして、時間帯Ｂにおける時刻ｔｎにおいてすでに開始された有機ＥＬ素子の発光の停止処理は、時間帯Ｃにおいても継続されることとなる。その後、処理はステップＳ１に戻る。
【００６７】
一方、時間帯Ｄにおける時刻ｔｄから時刻ｔｅまでの間では、例えば１秒間に５回の割合（５回／ｓ）で表示画面の書き換えが行われるリフレッシュレートにて、メインディスプレイ１７上の表示画面の書き換えが行われる。これにより、時間帯ｄにおける時刻ｔｄから時刻ｔｅまでの間においては、５０回／ｓのリフレッシュレートである時間帯Ｃと比較して表示画面の書き換えが少なくなることとなる。そして、このとき、ステップＳ８にて制御部４１が、リフレッシュ回数計数開始時刻からリフレッシュ回数計数終了時刻までの時間が、予め設定された所定の時間（例えば１秒間や２秒間など）よりも長いと判定し、処理はステップＳ９に進む。
【００６８】
ステップＳ９において、制御部４１は、すでに有機ＥＬ素子の発光停止処理（ステップＳ１２での停止処理）が開始されているか否かを判定し、ステップＳ９において制御部４１が、有機ＥＬ素子の発光停止処理（ステップＳ１２での停止処理）が開始されていると判定した場合、すでにリフレッシュ回数が頻繁に行われなくなってきていることから、制御部４１はステップＳ１０で、画像（フレーム）と画像（フレーム）ごとに行われている有機ＥＬ素子の発光停止処理を終了する。これにより、時間帯Ｂにおける時刻ｔｎにおいて開始された有機ＥＬ素子の発光の停止処理は、時間帯Ｃにおいても継続されるとともに、時間帯Ｄになると、終了する。このとき、有機ＥＬ素子の発光停止処理が時刻ｔｅにて終了される場合、有機ＥＬの発光停止処理の終了に伴うユーザの違和感を考慮して、時刻ｔｅにてメインディスプレイ１７に書き換えられて表示されている画像Ｐ１３と同一の画像が、画像Ｐ１４として表示される。
【００６９】
その後、処理はステップＳ１に戻り、ステップＳ１以降の処理が繰り返し実行される。
【００７０】
本発明の実施形態においては、少なくとも発光層を含む有機ＥＬ素子により構成され、外部から取得される画像データまたは予め記憶されている画像データに基づく画像を表示し、画像データに基づく画像を表示する際のリフレッシュ回数を計数し、リフレッシュ回数の計数を開始する開始時刻から、計数されるリフレッシュ回数が、予め設定された所定の回数行われたか否かを判定し、開始時刻から、計数手段によりリフレッシュ回数の計数を終了する終了時刻までの時間が、予め設定された所定の時間よりも短いか否かを判定し、開始時刻から終了時刻までの時間が、予め設定された所定の時間よりも短いと判定された場合、画像と画像との間ごとに、有機ＥＬ素子への電力供給を所定の時間停止し、有機ＥＬ素子の発光を所定の時間停止することができる。
【００７１】
これにより、メインディスプレイ１７に表示される表示画面の書き換え（リフレッシュ）が頻繁に行われる場合に、画像（フレーム）と画像（フレーム）との間ごとに、ユーザが認識できない程度の短時間だけ有機ＥＬ素子の発光を停止することができ、メインディスプレイ１７の点灯状態を消灯状態とすることができる。従って、頻繁に行われる表示画面の書き換えに伴う電力消費の増加を抑制しつつ、ディスプレイの点灯時間を減少させて画素の劣化を防止することができる。
【００７２】
例えばユーザがメニュ画面を操作しているとき、ブラウザキーが押下されると、図示せぬ基地局経由で種々の動画像データが外部から取得され、メインディスプレイ１７に表示されるが、これまでのメニュ画面の表示とは異なり、コンテンツの内容によってはリフレッシュ回数が急激に上昇する状況が想定される。このような場合に、画像（フレーム）と画像（フレーム）との間ごとに、有機ＥＬ素子の発光の停止処理を開始することで、頻繁に行われる表示画面の書き換えに伴う電力消費の増加を抑えることができる。
【００７３】
なお、図４のフローチャートを用いて説明したリフレッシュ回数計数処理においては、表示画面の書き換え（リフレッシュ）が頻繁に行われているか否かを判定する方法として、表示画面の書き換え（リフレッシュ）が予め設定された所定の回数行うまでの経過時間が、予め設定された所定の時間より短いか否かを判定するようにしたが、このような場合に限られず、例えば予め設定された所定の基準時間内に、リフレッシュ回数が予め設定された所定の回数以上行われたか否かを判定するようにしてもよい。以下、この方法を用いたリフレッシュ回数計数処理について説明する。
【００７４】
図６のフローチャートを参照して、図３の携帯電話機１における他のリフレッシュ回数計数処理について説明する。なお、図６のステップＳ２１、およびステップＳ２８乃至Ｓ３２の処理は、図４のステップＳ１、およびステップＳ９乃至Ｓ１３の処理と同様であり、その説明は繰り返しになるので省略する。
【００７５】
ステップＳ２２において、制御部４１は、リフレッシュ回数計数処理を実行するに際し、時計回路４７を用いて、リフレッシュ回数を計数する際に用いられるタイマを所定の基準時間にセットする。ステップＳ２３において、制御部４１は、動画像データの再生時に、メインディスプレイ１７に表示される表示画面の書き換えが行われたか否かを判定し、メインディスプレイ１７に表示される表示画面の書き換えが行われたと判定するまで待機する。
【００７６】
ステップＳ２３において制御部４１が、メインディスプレイ１７に表示される表示画面の書き換えが行われたと判定した場合、制御部４１はステップＳ２４で、ユーザにより例えば携帯電話機１が閉じられた状態にされたり、あるいは、終話・電源キーが押下されることで携帯電話機１の電源が切られたりなどにより、メインディスプレイ１７での表示処理を終了するとの指示が受け付けられたか否かを判定する。ステップＳ４において制御部４１が、メインディスプレイ１７での表示処理を終了するとの指示が受け付けられたと判定した場合、リフレッシュ回数計数処理は終了される。一方、ステップＳ２４において制御部４１が、メインディスプレイ１７での表示処理を終了するとの指示が受け付けられたと判定した場合、制御部４１はステップＳ２５で、メインディスプレイ１７での表示処理を終了するとの指示が受け付けられずに、メインディスプレイ１７に表示される表示画面の書き換えが行われたことから、リフレッシュ回数Ｎを１だけインクリメントする（Ｎ＝Ｎ＋１とされる）。ステップＳ２６において、制御部４１は、時計回路４７を用いて、予め設定された所定の基準時間経過したか否かを判定する。
【００７７】
ステップＳ２６において制御部４１が、予め設定された所定の基準時間経過していないと判定した場合、処理はステップＳ３に戻り、ステップＳ３以降の処理が実行され、メインディスプレイ１７に表示される表示画面の書き換えが行われる度にリフレッシュ回数Ｎが１ずつインクリメントされる。一方、ステップＳ２６において制御部４１が、予め設定された所定の基準時間経過したと判定した場合、制御部４１はステップＳ２７で、所定の基準時間内に計数されたリフレッシュ回数が、予め設定された所定の回数以上であるか否かを判定する。ステップＳ２７において制御部４１が、所定の基準時間内に計数されたリフレッシュ回数が、予め設定された所定の回数以上であると判定した場合、処理はステップＳ３０に進み、ステップＳ３０以降の処理が繰り返し実行される。一方、ステップＳ２７において制御部４１が、所定の基準時間内に計数されたリフレッシュ回数が、予め設定された所定の回数以上ではないと判定した場合、処理はステップＳ２８に進み、ステップＳ２８以降の処理が繰り返し実行される。
【００７８】
ところで、図４または図６のフローチャートを用いて説明したリフレッシュ回数計数処理では、メインディスプレイ１７への表示処理と並行して、表示画面の書き換え（リフレッシュ）が頻繁に行われているか否かをリフレッシュ回数の計数によって判定し、表示画面の書き換え（リフレッシュ）が頻繁に行われていると判定された場合、有機ＥＬ素子の発光を停止するようにしたが、このような場合に限られず、例えば再生する動画像データがリフレッシュ回数の頻度が高いコンテンツであるか否かを判定し、再生する動画像データがリフレッシュ回数の頻度が高いコンテンツであると判定された場合、その動画像データの再生時には有機ＥＬ素子の発光を停止するようにしてもよい。以下、この方法を用いた有機ＥＬ素子発光停止処理について説明する。
【００７９】
図７のフローチャートを参照して、図３の携帯電話機１における有機ＥＬ発光停止処理について説明する。
【００８０】
ステップＳ４１において、制御部４１は、再生する動画像データに含まれるフレームレートに関するデータに基づいて、動画像データを再生する際に用いられるフレームレートが予め設定された所定のレートよりも大きいか否かを判定する。ステップＳ４１において制御部４１が、動画像データを再生する際に用いられるフレームレートが予め設定された所定のレートよりも大きいと判定した場合、表示画面の書き換えが頻繁であると認識し、制御部４１はステップＳ４２で、動画像データの再生時に、画像（フレーム）と画像（フレーム）との間ごとに、メインディスプレイ１７を構成する有機ＥＬ素子への電源回路４４から電力供給を所定の時間停止し、有機ＥＬ素子の発光を所定の時間停止する。一方、ステップＳ４１において制御部４１が、動画像データを再生する際に用いられるフレームレートが予め設定された所定のレート以下であると判定した場合、制御部４１はステップＳ４３で、動画像データの再生時に有機ＥＬ素子の発光停止処理を行わないように制御する。
【００８１】
ステップＳ４４において、制御部４１は、異なる動画像データを再生する否かを判定し、異なる動画像データを再生すると判定するまで待機する。ステップＳ４４において異なる動画像データを再生すると判定された場合、処理はステップＳ４１に戻る。
【００８２】
これにより、再生する動画像データが頻繁に変らない場合などにおいて、メインディスプレイ１７に表示される表示画面の書き換え（リフレッシュ）が頻繁に行われるか否かを前もって判別することができ、その上で、動画像データのフレームレートが大きい場合、動画像データの再生時に画像（フレーム）と画像（フレーム）との間ごとに、ユーザが認識できない程度の短時間だけ有機ＥＬ素子の発光を停止することができ、メインディスプレイ１７の点灯状態を消灯状態とすることができる。従って、頻繁に行われる表示画面の書き換えに伴う電力消費の増加を抑制しつつ、ディスプレイの点灯時間を減少させて画素の劣化を防止することができる。
【００８３】
なお、１つの動画像データのコンテンツ中にてフレームレートが変化する場合、一部分にてフレームレートが高くても、有機ＥＬ素子の発光停止処理を行うようにしてもよい。
【００８４】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００８５】
また、本発明の実施形態において説明した一連の処理は、ソフトウェアにより実行させることもできるが、ハードウェアにより実行させることもできる。
【００８６】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００８７】
【図１】本発明に係る情報処理装置に適用可能な携帯電話機の外観を示す図。
【図２】本発明の情報処理装置に係る携帯電話機の他の外観の構成を示す図。
【図３】本発明の情報処理装置に係る携帯電話機の内部の構成を示すブロック図。
【図４】図３の携帯電話機におけるリフレッシュ回数計数処理を説明するフローチャート。
【図５】メインディスプレイでの表示処理におけるリフレッシュ回数の変化を示す図。
【図６】図３の携帯電話機における他のリフレッシュ回数計数処理を説明するフローチャート。
【図７】図３の携帯電話機における有機ＥＬ素子発光停止処理を説明するフローチャート。
【符号の説明】
【００８８】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部、４９…地デジ処理部、５０…スピーカ、５１…表示駆動部。
【図１】
2009236966.tif 000003
【図２】
2009236966.tif 000004
【図３】
2009236966.tif 000005
【図４】
2009236966.tif 000006
【図５】
2009236966.tif 000007
【図６】
2009236966.tif 000008
【図７】
2009236966.tif 000009